(57)【要約】【課題】二次電池と拘束部材との短絡を抑制可能な電池パックを提供すること。【解決手段】電池パック１は、一方向に並ぶように配置された複数の二次電池１０と、前記一方向における複数の二次電池の両端に配置された一対のエンドプレート２０と、複数の二次電池および一対のエンドプレートを拘束する拘束部材３０と、を備える。拘束部材３０は、複数の二次電池１０および一対のエンドプレート２０の周囲に巻き付けられた絶縁フィルムからなる。【選択図】図１
2020113463.tif 000002
【特許請求の範囲】
【請求項１】
一方向に並ぶように配置された複数の二次電池と、
前記一方向における前記複数の二次電池の両端に配置された一対のエンドプレートと、
前記複数の二次電池および前記一対のエンドプレートを拘束する拘束部材と、を備え、
前記拘束部材は、前記複数の二次電池および前記一対のエンドプレートの周囲に巻き付けられた絶縁フィルムからなる、電池パック。
【発明の詳細な説明】
【技術分野】
【０００１】
本開示は、電池パックに関する。
【背景技術】
【０００２】
たとえば、特開２０１３−１１４７４６号公報（以下、「特許文献１」という。）には、複数の単電池からなる電池スタックと、一対のエンドプレートと、拘束バンドと、を備える蓄電装置が開示されている。複数の単電池は、一方向に並ぶように配置されている。各エンドプレートは、一方向における電池スタックの両側に配置されている。拘束バンドは、導電性を有する材料からなり、一対のエンドプレートに対して一対のエンドプレートが互いに近づく方向の力を付与した状態において一対のエンドプレートに連結されている。
【先行技術文献】
【特許文献】
【０００３】
【特許文献１】特開２０１３−１１４７４６号公報
【発明の概要】
【発明が解決しようとする課題】
【０００４】
特許文献１に記載される蓄電装置では、導電性を有する材料からなる拘束バンドと単電池とが短絡する懸念がある。
【０００５】
本開示の目的は、二次電池と拘束部材との短絡を抑制可能な電池パックを提供することである。
【課題を解決するための手段】
【０００６】
本開示に従った電池パックは、一方向に並ぶように配置された複数の二次電池と、前記一方向における前記複数の二次電池の両端に配置された一対のエンドプレートと、前記複数の二次電池および前記一対のエンドプレートを拘束する拘束部材と、を備える。前記拘束部材は、前記複数の二次電池および前記一対のエンドプレートの周囲に巻き付けられた絶縁フィルムからなる。
【０００７】
本電池パックでは、複数の二次電池および一対のエンドプレートを拘束する拘束部材が、複数の二次電池および一対のエンドプレートの周囲に巻き付けられた絶縁フィルムからなるため、二次電池と拘束部材との短絡が抑制される。
【発明の効果】
【０００８】
以上に説明したように、本開示によれば、二次電池と拘束部材との短絡を抑制可能な電池パックを提供することができる。
【図面の簡単な説明】
【０００９】
【図１】本開示の一実施形態の電池パックの構成を概略的に示す斜視図である。
【図２】図１に示される電池パックの製造工程を概略的に示す図である。
【図３】図１に示される電池パックの第１変形例を概略的に示す斜視図である。
【図４】図１に示される電池パックの第２変形例を概略的に示す斜視図である。
【図５】図１に示される電池パックの第３変形例を概略的に示す平面図である。
【図６】図５に示される電池パックの拘束部材の構成を概略的に示す図である。
【図７】図１に示される電池パックの第４変形例を概略的に示す斜視図である。
【図８】図７におけるＶＩＩＩ−ＶＩＩＩ線での断面図である。
【発明を実施するための形態】
【００１０】
本開示の実施形態について、図面を参照して説明する。なお、以下で参照する図面では、同一またはそれに相当する部材には、同じ番号が付されている。
【００１１】
図１は、本開示の一実施形態の電池パックの構成を概略的に示す斜視図である。図２は、図１に示される電池パックの製造工程を概略的に示す図である。この電池パック１は、例えば、車両の車室内に搭載される。図１に示されるように、本実施形態の電池パック１は、複数の二次電池１０と、一対のエンドプレート２０と、拘束部材３０と、を有している。
【００１２】
複数の二次電池１０は、一方向に並ぶように配置されている。各二次電池１０は、容器１１と、正極端子１２と、負極端子１３と、を有している。
【００１３】
容器１１は、直方体形状に形成されている。容器１１は、正極（図示略）、負極（図示略）などを収容している。複数の容器１１は、各容器１１の厚さ方向が前記一方向と平行となるように配置されている。なお、互いに隣接する容器１１間には、絶縁材料からなるセパレータ（図示略）が配置されている。
【００１４】
正極端子１２及び負極端子１３は、容器１１の上部に設けられている。正極端子１２及び負極端子１３は、容器１１の上面から上方に向かって突出する形状を有している。正極端子１２及び負極端子１３は、容器１１の幅方向に互いに離間した位置に配置されている。
【００１５】
一対のエンドプレート２０は、前記一方向における前記複数の二次電池の両端に配置されている。各エンドプレート２０は、絶縁材料（例えば樹脂）からなる。一対のエンドプレート２０と複数の二次電池１０とにより電池スタック１５（図２を参照）を構成している。各エンドプレート２０は、直方体形状に形成されている。各エンドプレート２０のうち、前記一方向における外側でかつ当該エンドプレート２０の幅方向における外側に形成された角部２２は、湾曲するように形成されている。
【００１６】
拘束部材３０は、電池スタック１５を拘束している。拘束部材３０は、電池スタック１５の周囲に巻き付けられた絶縁フィルムＦからなる。具体的に、拘束部材３０は、各容器１１の側面および各エンドプレート２０の側面に巻き付けられている。絶縁フィルムＦは、高強度フィルム（例えば、一軸延伸ＰＥＴフィルム）からなる。絶縁フィルムＦの終端部は、電池スタック１５に巻き付けられた絶縁フィルムＦに熱融着されている。これにより、拘束部材３０に融着部３１が形成されている。拘束部材３０は、一対のエンドプレート２０に対して一対のエンドプレート２０が互いに近づく方向の力を付与した状態で電池スタック１５に巻き付けられている。
【００１７】
次に、図２を参照しながら、電池スタック１５の周囲に拘束部材３０を設ける工程について説明する。図２に示されるように、電池スタック１５がターンテーブルＴ上に載置された状態において、拘束部材３０を構成する絶縁フィルムＦが巻き付けられたフィルムロールＲから絶縁フィルムＦが繰り出されつつ、ターンテーブルＴが回転することにより、電池スタック１５の周囲に絶縁フィルムＦが巻き付けられる。そして、絶縁フィルムＦの終端部が電池スタック１５に巻き付けられた絶縁フィルムＦに融着されることにより、電池スタック１５の周囲に拘束部材３０が設けられる。なお、絶縁フィルムＦは、拘束部材３０に求められる強度が得られるまで、電池スタック１５の周囲に複数回巻き付けられる。
【００１８】
以上に説明したように、本実施形態の電池パック１では、電池スタック１５（複数の二次電池１０および一対のエンドプレート２０）を拘束する拘束部材３０が、電池スタック１５の周囲に巻き付けられた絶縁フィルムＦからなるため、二次電池１０と拘束部材３０との短絡が抑制される。
【００１９】
また、各エンドプレート２０の角部２２は、湾曲しているため、拘束部材３０のうち当該角部２２を被覆する部位への応力集中の発生が抑制される。
【００２０】
なお、今回開示された実施形態はすべての点で例示であって、制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００２１】
例えば、電池パック１は、図３〜図７に示される以下の各変形例のように構成されてもよい。図３は、図１に示される電池パックの第１変形例を概略的に示す斜視図である。図４は、図１に示される電池パックの第２変形例を概略的に示す斜視図である。図５は、図１に示される電池パックの第３変形例を概略的に示す平面図である。図６は、図５に示される電池パックの拘束部材の構成を概略的に示す図である。図７は、図１に示される電池パックの第４変形例を概略的に示す斜視図である。図８は、図７におけるＶＩＩＩ−ＶＩＩＩ線での断面図である。
【００２２】
（第１変形例）
図３に示される例では、電池パック１は、複数の二次電池１０と拘束部材３０との間に配置された熱伝導シート４０をさらに備えている。熱伝導シート４０は、拘束部材３０の熱伝導率よりも高い熱伝導率を有している。熱伝導シート４０は、各二次電池１０の容器１１の側面に接触している。熱伝導シート４０として、例えば、グラファイトシートが挙げられる。
【００２３】
この態様では、一方向に沿って各二次電池１０間で熱が伝導されるため、各二次電池１０間の温度のバラツキが抑制される。また、いずれかの二次電池１０が熱暴走した場合、その二次電池１０で生じた熱が他の二次電池１０に向かって拡散するため、熱暴走した二次電池１０が冷却される。よって、熱暴走した二次電池１０に隣接する二次電池１０での熱暴走の発生（いわゆる連鎖発煙）が抑制される。
【００２４】
（第２変形例）
図４に示される例では、電池パック１は、拘束部材３０に保持された冷却器５０をさらに備えている。冷却器５０は、電池スタック１５への絶縁フィルムＦの巻き付け途中に絶縁フィルムＦ間に配置される。これにより、冷却器５０は、絶縁フィルムＦの張力により保持され、かつ、各二次電池１０の容器１１の側面に押し付けられる。
【００２５】
この態様では、冷却器５０によって各二次電池１０が有効に冷却される。
【００２６】
（第３変形例）
図５に示される例では、拘束部材３０は、各二次電池１０間に配置される介在部３２と、各二次電池１０の容器１１の側面に接するように配置される側面部３４と、を有している。この例の拘束部材３０は、絶縁フィルムＦが各二次電池１０間につづら折り状（ジグザグ状）となるように配置され、その後、電池スタック１５の周囲に絶縁フィルムＦが巻き付けられることにより形成される。この態様では、介在部３２によって二次電池１０間が絶縁されるため、スペーサを省略することが可能となる。
【００２７】
この場合において、図６に示されるように、絶縁フィルムＦのうち介在部３２を形成する部位（各二次電池１０間に配置される部位）に、断熱材３６が接続されてもよい。断熱材３６としては、エアロシリカゲルを含有するシートが挙げられる。
【００２８】
（第４変形例）
図７および図８に示される例では、各エンドプレート２０に、治具６０を挿通するための挿通孔２０ｈが設けられている。治具６０は、一対のエンドプレート２０の各挿通孔２０ｈに挿通された状態において、一対のエンドプレート２０に対し、一対のエンドプレート２０が互いに近づく方向の力を付与する。治具６０は、絶縁材料により形成されてもよい。なお、図７では、治具６０の図示は省略されている。
【００２９】
この態様では、電池スタック１５に一対のエンドプレート２０が互いに近づく方向の力を与圧を付与しながら当該電池スタック１５の周囲に絶縁フィルムＦを巻き付けることが可能となる。
【符号の説明】
【００３０】
１  電池パック、１０  二次電池、１１  容器、１２  正極端子、１３  負極端子、１５  電池スタック、２０  エンドプレート、２０ｈ  挿通孔、２２  角部、３０  拘束部材、３１  融着部、３２  介在部、３６  断熱材、４０  熱伝導シート、５０  冷却器、６０  治具、Ｆ  絶縁フィルム、Ｒ  フィルムロール、Ｔ  ターンテーブル。
【図１】
2020113463.tif 000003
【図２】
2020113463.tif 000004
【図３】
2020113463.tif 000005
【図４】
2020113463.tif 000006
【図５】
2020113463.tif 000007
【図６】
2020113463.tif 000008
【図７】
2020113463.tif 000009
【図８】
2020113463.tif 000010